(57)【要約】【課題】浮遊病原菌の処理の有効性がプラズマ放電装置と静電集塵器を組み合わせることによって改善される。【解決手段】プラズマ発生器静電集塵器アセンブリは、電荷を帯びた浮遊粒子を提供するように構成されている静電集塵器と、プラズマ発生器であって、プラズマ発生器は、近接した静電集塵器と協働するように構成されており、プラズマを放電し、浮遊粒子を不活性化させるように動作可能な不活性化ゾーンをプラズマ発生器の領域の中に提供するように構成されており、空気処理デバイスは、電荷を帯びた浮遊粒子を不活性化ゾーンの中へ方向付けするための手段を含み、その結果、空気処理デバイスが、電荷を帯びた浮遊粒子を発生させるように適合され、次いで、即座に、電荷を帯びた浮遊粒子を不活性化ゾーンの中へ方向付けし、電荷を帯びた浮遊粒子を不活性化ゾーンの中のプラズマに曝すように適合される、プラズマ発生器と、を含む。【選択図】図１
2020122649.tif 000002
【特許請求の範囲】
【請求項１】
プラズマ発生器静電集塵器アセンブリを含む空気処理デバイスであって、前記プラズマ発生器静電集塵器アセンブリは、
その付近の浮遊粒子を帯電させ、電荷を帯びた浮遊粒子を提供するように構成されている静電集塵器と、
前記静電集塵器に近接して位置決めされているプラズマ発生器であって、前記プラズマ発生器は、前記静電集塵器と協働するように構成されており、前記プラズマ発生器は、プラズマを放電し、浮遊粒子を不活性化させるように動作可能な不活性化ゾーンを前記プラズマ発生器の領域の中に提供するように構成されており、前記空気処理デバイスは、前記静電集塵器によって発生された電荷を帯びた浮遊粒子を前記不活性化ゾーンの中へ方向付けするための手段を含み、その結果、前記空気処理デバイスが、電荷を帯びた浮遊粒子を発生させるように適合され、および、前記電荷を帯びた浮遊粒子を前記不活性化ゾーンの中へ方向付けし、前記電荷を帯びた浮遊粒子を前記不活性化ゾーンの中のプラズマに曝すように適合される、プラズマ発生器と、を含むことを特徴とする空気処理デバイス。
【発明の詳細な説明】
【技術分野】
【０００１】
本発明は、空気処理方法およびデバイスに関する。より具体的には、本発明は、空気消毒および汚染制御のためのプラズマ発生器静電集塵器アセンブリを含む空気処理デバイスに関する。
【０００２】
プラズマ発生器静電集塵器アセンブリは、好ましくは、プラズマコイル静電集塵器アセンブリを含み、浮遊粒子を捕獲するために、および、粒子の中に存在する病原菌および汚染物質を不活性化させるために使用され得る。病原菌および汚染物質が不活性化される不活性化ゾーンを提供するために、大気プラズマ放電が使用される。
【背景技術】
【０００３】
健康を脅かす浮遊汚染物質は、３つのグループへと細分化され得、その３つのグループは、すなわち、（ａ）空気を介して環境全体に広がる病気を引き起こす任意の微生物を含む浮遊病原、（ｂ）摂取、吸入、または接触されるときに、アレルギー反応を引き起こす任意の物質を含む浮遊アレルゲン、および、（ｃ）空気中に浮いたままの微粒子の形態で高圧でスプレイされるように設計されている任意の製品を含む浮遊揮発性有機化合物（ＶＯＣ：Volatile Organic Compound）である。最後のカテゴリは、多くのクリーニング化学薬品、ヘアスプレイ、さまざまなタイプのプライマ、ならびに、ガソリンおよびケロシンなどのような燃料、ならびに、他の家庭用品、美容用品、またはホビー用品を含む。また、いくつかの織物、とりわけ、最近製造されているものは、時間の経過とともに、それらがガス放出するときに、または、ガス状の形態で化学物質を漏出させるときに、室内浮遊ＶＯＣの一因となる。
【０００４】
浮遊汚染物質は、室内環境において著しく高まる可能性があり、我々が吸い込む空気が汚染され得るという結果を伴う。平均的に、人間は、その時間の約９０％を室内環境において過ごすことを考えると、室内空気からの汚染物質の除去は、アレルギーを低減させるために、および、シックハウス症候群などのような感染伝播を防止するために、重要であることを理解されたい。
【０００５】
浮遊病原菌の制御に関する既存の従来技術は、（ａ）浮遊物捕捉（airborne trapping）システムまたはフィルタ、（ｂ）浮遊物不活性化システム、および、（ｃ）上記のいくつかの組み合わせとして分類され得る。
【０００６】
また、既存の浮遊物不活性化技術は、化学物質、ＵＶ放射、およびプラズマ放電副産物を利用するものを含む。
【０００７】
化学的な不活性化の例は、抗菌性の気化器、典型的に、オゾンまたは過酸化水素の使用を含む。これらのシステムは効果的であるが、それらは、破壊的でもあり、処理されることとなる室内スペースの排出を必要とし、したがって、通常の生活環境下での使用には適切でない。
【０００８】
空気の浄化のための代替的なシステムは、浮遊バクテリアを殺すために紫外線（ＵＶ）放出を使用することを含む。たとえば、特許文献１は、流体（たとえば、空気）がＵＶランプのアレイを通過させられるデバイスを説明している。この解決策では、唯一の不活性化メカニズムが、ＵＶ放射を介するものである。
【０００９】
また、先行技術は、空気フィルタ媒体の殺菌のためにプラズマラジカルの使用を含む（たとえば、特許文献２を参照）。この文献では、上流のプラズマ放電は、活性ラジカルを発生させることが可能であり、活性ラジカルが、媒体フィルタへ上流に流れ、フィルタによって捕捉された任意のバクテリアまたはウィルスを殺すことが提案されている。しかし、病原菌を捕獲するためにフィルタ媒体を使用することは、依然として、感染保有部としての役割を果たす可能性があり、また、それが詰まったときに空気フローストリームに影響を及ぼす可能性がある。
【００１０】
また、空気の中の病原菌を不活性化させる抗病原体を解放するプラズマ放電を使用することが知られている。先行技術は、空気が電極コイルアセンブリの周りに引き込まれる、プラズマ放電を使用した空気処理に関する方法および装置を含む。プラズマ放電は、放電の付近に流れる任意の浮遊病原菌を不活性化させる。そのようなデバイスの有効性は、病原菌および浮遊汚染物質がデバイスによって発生されたプラズマ放電および抗病原体に曝される期間に依存することが理解されている。
【先行技術文献】
【特許文献】
【００１１】
【特許文献１】国際公開第０３／０９２７５１号パンフレット
【特許文献２】米国特許出願公開第２００４／０１８４９７２号明細書
【特許文献３】米国特許出願公開第２０１３／０２３３１７２号明細書
【発明の概要】
【００１２】
したがって、本発明の第１の実施形態は、添付の請求項１による空気処理装置を提供する。有利な実施形態は、従属請求項に提供されている。また、本出願は、請求項３４、３５、および４０に詳述されているような空気処理装置に提示されている他の態様を提供する。他の特徴は、本説明から明らかになることとなる。
【００１３】
１つの態様では、本発明は、空気処理装置を提供し、空気処理装置は、静電集塵器の付近の浮遊粒子を帯電させ、電荷を帯びた浮遊粒子を提供するように構成されている静電集塵器と、静電集塵器の近接であるが、静電集塵器から所定の距離に位置決めされているプラズマ発生器であって、プラズマ発生器は、静電集塵器と協働するように構成されており、プラズマ発生器は、不活性化ゾーンをプラズマ発生器の領域の中に生成させるように構成されており、空気処理デバイスは、静電集塵器によって発生された電荷を帯びた浮遊粒子を不活性化ゾーンの中へ方向付けするための手段を含み、その結果、空気処理デバイスが、電荷を帯びた浮遊粒子を発生させるように適合され、および、次いで、即座に、電荷を帯びた浮遊粒子を不活性化ゾーンの中へ方向付けし、電荷を帯びた浮遊粒子を不活性化ゾーンの中のプラズマに曝すように適合される、プラズマ発生器と、を含む。静電集塵器によって発生された電荷を帯びた浮遊粒子を不活性化ゾーンの中へ方向付けするための手段は、静電集塵器とプラズマ発生器との間に印加される電圧を含むことが可能であり、空気処理デバイスが、電荷を帯びた浮遊粒子を発生させるように適合されており、それと同時に、プラズマ発生器に向けて不活性化ゾーンの中へ前記電荷を帯びた浮遊粒子を引き付けることによって、発生された電荷を帯びた粒子を方向付けし、電荷を帯びた浮遊粒子を不活性化ゾーンの中のプラズマに曝すようになっている。
【００１４】
不活性化ゾーンは、プラズマが解放されるゾーンであり、病原菌を含む浮遊汚染材料を不活性化させるのに効果的である。そのような浮遊汚染材料（すなわち、浮遊汚染物質）は、健康を脅かす可能性があり、それは、３つのグループへと細分化され得、その３つのグループは、すなわち、（ａ）空気を介して環境全体に広がる病気を引き起こす任意の微生物を含む浮遊病原、（ｂ）摂取、吸入、または接触されるときに、アレルギー反応を引き起こす任意の物質を含む浮遊アレルゲン、および、（ｃ）空気中に浮いたままの微粒子の形態で高圧でスプレイされるように設計されている任意の製品を含む浮遊揮発性有機化合物（ＶＯＣ）である。本発明の空気処理装置の中のプラズマ発生器によって発生されるプラズマは、（ａ）から（ｃ）の細区分に定義されているような浮遊汚染材料のいずれかを不活性化させるのに効果的である。
【００１５】
したがって、空気処理装置は、電荷を帯びた浮遊粒子を不活性化ゾーンの中へ引き付けるように構成されている。これは、すべての電荷を帯びた粒子をプラズマ発生器の表面の上に引き付けようとすることと同じではない。その理由は、すべての電荷を帯びた粒子がプラズマ発生器の表面の上にあるとすれば、それは、プラズマ発生器の効果的な動作を妨げる可能性があるので、実際に、そのようなことは望ましくないからである。
【００１６】
本発明の空気処理装置は、プラズマ発生器、好ましくは、プラズマコイルアセンブリを含み、それは、１Ｗ／ｃｍ2未満のパワー密度で動作し、プラズマ放電を操作可能に発生させるように構成されている。好適な実施形態では、プラズマ発生器は、コイルアセンブリ、最も好ましくは、概して円筒形状のコイルアセンブリであり、それは、１Ｗ／ｃｍ2未満のパワー密度で動作し、コイルアセンブリの長手方向軸線の周りに円周方向にプラズマ放電を操作可能に発生させるように構成されている。
【００１７】
最も好ましくは、プラズマ発生器は、０．１Ｗ／ｃｍ2から０．５Ｗ／ｃｍ2の範囲にあるパワー密度で動作されるように構成されている。これは、プラズマ発生にとって比較的低いパワー密度であり、プラズマ発生器の周りに不活性化ゾーンを生成させるのに効果的である。これは、本発明のプラズマ発生器の動作のこの低いパワー密度は、たとえば自動車産業などにおける排気ガスの浄化に関するプラズマ発生器の従来の使用に必要とされる、比較的高いレベルのパワー密度とは完全に対照的である。
【図面の簡単な説明】
【００１８】
ここで、本出願は、添付の図面を参照して説明されることとなる。
【図１】本教示によるプラズマコイル静電集塵器アセンブリの斜視図である。
【図２】図１のコイルアセンブリの斜視図である。
【図３】図１の静電ワイヤ電極アセンブリの斜視図である。
【図４】図３の静電ワイヤ電極アセンブリの異なる図である。
【図５】図１のコイルアセンブリおよび高電圧電力供給部の展開図である。
【図６】図５の円筒コイルの図である。
【図７】図６の円筒コイルの展開図である。
【図８】図５から図７の展開図に示されているコイルアセンブリの代替的実施形態の展開図である。
【図９】コイルアセンブリがコイルアセンブリのそれぞれの端部に設けられた絶縁スタンドの中に挿入されている状態の、図８に示されているコイルアセンブリの断面図であり、電気接点が、絶縁スタンドの中に設けられているスロットを通して位置しており、また、電源への接続のために構成されていることを示す図である。
【図１０】空気がそれを通過して流れるときの、図１のプラズマコイル静電集塵器アセンブリの側面図である。
【図１１】本教示による病原菌不活性化方法のフローチャートダイアグラムである。
【図１２】本教示によるプラズマコイル静電集塵器アセンブリの別の実施形態の斜視図である。
【図１３】本教示によるプラズマコイル静電集塵器アセンブリのさらなる実施形態の斜視図である。
【図１４】図１３のコイルアセンブリの平面図であり、電極のニードルのアレイの配置を示す図である。
【図１５】図１３および図１４のコイルアセンブリの斜視図である。
【図１６】コイルアセンブリの内側メッシュおよび外側メッシュへの電力供給のための接続を示す概略ダイアグラムである。
【発明を実施するための形態】
【００１９】
本教示は、浮遊病原菌の処理の有効性がプラズマ放電装置と静電集塵器を組み合わせることによって改善させられ得るという発明者による理解に基づいている。静電集塵器は知られているが、これまで、それらは、ユニットを通るガスのフローを最小にしか妨げない、誘起された静電電荷の力を使用して、ダストおよび煙のような微粒子を、流れているガスから除去する非常に効率的な濾過デバイスとして専ら使用されてきた。本発明者らは、プラズマ発生器と組み合わせた静電集塵器によって提供される機能性を使用することによって、浮遊病原菌の処理の効率を改善することが可能であることに気付いた。これまでは一緒にまたは両立して有用に用いられると考えてこられなかった２つの公知の技法の機能を組み合わせる装置によって、相乗効果が提供される。
【００２０】
公知の静電集塵器は、２セットの電極から構成されており、非常に細く鋭い縁部を備える第１の電極が、典型的に、より大きい面積の第２の電極またはプレートに対してマイナスにバイアスされる。マイナスの鋭い電極は、近くの浮遊粒子に電子を供給し、それらをマイナスに帯電させる。プラスのプレートまたは電極は、電荷を帯びた粒子を静電的に引き付けて収集し、それによって、それらを空気から除去する。たとえば、内蔵式の静電集塵器を備える空気清浄機を開示する特許文献３を参照されたい。
【００２１】
静電集塵器は浮遊粒子除去において効率的であることが理解されている。しかし、これらのデバイスは、それらの電極によって捕獲された病原菌を不活性化させない。いくつかの病原菌は、たとえば胞子のケースでは、最大数カ月もの期間にわたり好ましくない条件を生き抜く可能性があることに留意されたい。そのような病原菌は、時間の経過とともに、捕獲された粒子のいくつかが環境へ解放されて戻され得るので、病気伝播につながる可能性がある。
【００２２】
本発明者らは、静電集塵器とプラズマ放電発生器を組み合わせることによって、以前には可能であると考えられなかったように、病原菌を効果的に捕捉して破壊することが可能であることに気付いた。ここで、本教示は、例示的なプラズマコイル静電集塵器アセンブリのいくつかの実施形態を参照して説明されることとなる。これらの例示的なアセンブリは、本教示の理解を支援するために提供されており、いかなる形でも限定として解釈されるべきではないことを理解されたい。そのうえ、任意の１つの図を参照して説明されているエレメントまたはコンポーネントは、本発明の精神および範囲から逸脱することなく、他の図のものと置き換えられ得る。図示の簡単化および明確化のために、適当であると考えられる場合には、参照番号は、図の間で、対応するまたは同様のエレメントを示すために繰り返され得ることを理解されたい。
【００２３】
本教示によるプラズマコイル静電集塵器アセンブリは、浮遊汚染物質を捕獲し、プラズマ放電場を発生させ、微生物または病原菌を含む空気汚染物質を効果的に殺菌し、または、有機の浮遊材料および粒子を酸化させる。
【００２４】
プラズマコイル静電集塵器アセンブリ１００の構成が、図１を参照して説明されており、それは、本発明による第１の実施形態を示している。プラズマコイルアセンブリ２０１は、静電ワイヤ電極アセンブリ３０１に隣接して示されている。より詳細に以降で説明されることとなるように、図１および図４に示されている矢印Ａの方向に、電極アセンブリ３０１を通して、および、プラズマコイルアセンブリ２０１を通過して、空気が流される。空気フローが、プラズマコイルアセンブリ２０１の上および下にあることに留意されたい。空気フローはプラズマコイルアセンブリ２０１を通らないことに留意することが重要である。静電ワイヤ電極アセンブリ３０１は、空気フローの中の浮遊粒子の上に電荷を置く。電荷を帯びた粒子は、プラズマコイルアセンブリ２０１のコイル１０１に引き付けられ、コイル１０１の上に収集される。コイル１０１は、プラズマを放電するように構成されている。コイル１０１の上に収集された電荷を帯びた粒子の中に存在する病原菌は、このプラズマ放電に曝され、それによって不活性化される。
【００２５】
図２は、説明の明確化の目的のために、静電ワイヤ電極アセンブリ３０１なしで示されている、図１のコイルアセンブリ２０１の斜視図である。コイル１０１の上方および下方の空気フローを可能にする位置において、コイル１０１が絶縁スタンド２０４によって支持および保持されており、１つの絶縁スタンド２０４は、コイル１０１の長手方向軸線のそれぞれの端部に設けられていることが理解され得る。誘電体リテーナ２０２が、絶縁スタンド２０４の上の適切な場所に円筒コイル１０１を固定するために使用されている。また、誘電絶縁体キャップ２０３が、円筒コイル１０１のそれぞれの端部に設けられ、絶縁されたスタンド２０４からコイル１０１をさらに絶縁する。絶縁体キャップ２０３と絶縁されたスタンド２０４の組み合わせは、円筒コイル１０１が、コイルアセンブリ２０１が装着され得る任意の表面から絶縁されることを確実にする。以降でさらに説明されることとなるように、絶縁体キャップ２０３は、それらが円筒コイル１０１のさまざまな円筒形状のエレメントを一緒に保持するという点において、さらなる機能を有している。
【００２６】
図３は、再び説明の明確化のために、コイルアセンブリ２０１なしの図１の静電ワイヤ電極アセンブリ３０１を示している。絶縁サポート３０２は、ワイヤ電極３０３を保持している。電極３０３は、ループされて（looped）垂直方向に方向付けられている単一のワイヤを含む。電気接点３０４は、ワイヤのそれぞれの端部に取り付けられており、ワイヤ電極３０３を終端させている。これらの接点３０４は、電力供給部（図示せず）のための適切な電気的接続を提供している。電力供給部は、ワイヤ電極３０３に電力を提供し、ワイヤ電極３０３は、電極３０３を取り囲む電気的な電荷を操作可能に提供する。ワイヤ電極３０３は、放電電極と考えられ得る。その理由は、それが、充電電流を放出し、電圧を提供し、電圧が、ワイヤ電極３０３と円筒コイル１０１との間に電界を発生させるからである。電界は、空気の中の粒子をプラズマ発生器円筒コイル１０１に向けて移動させる。したがって、ワイヤ電極３０３によって発生された電荷を帯びた浮遊粒子は、不活性化ゾーンの中へ引き付けられ、不活性化ゾーンは、プラズマ発生器の周りにあり、具体的には、円筒コイル１０１のケースでは、不活性化ゾーンは、円筒コイル１０１の周りに外向きに円周方向に延在している。不活性化ゾーンは、約１〜２ｃｍの距離だけ、円筒コイル１０１の外側表面から外向きに延在している。浮遊粒子が不活性化ゾーンの中へ進入すると、次いで、プラズマ放電がすべての病原菌を破壊し、すべての望ましくない浮遊粒子を不活性化させるので、それらが無害にさせられる。次いで、浮遊粒子のうちのいくらかは、コイル１０１の上に沈着することとなることを理解されたい。しかし、プラズマコイル静電集塵器アセンブリ１００が効果的に動作し、アセンブリ１００のそばを流れている空気フローから望ましくない浮遊粒子を除去するためには、すべての浮遊粒子がプラズマ発生器円筒コイル１０１の上に沈着することは必須ではない。実際に、すべての浮遊粒子がプラズマ発生器円筒コイル１０１の上に沈着することは望ましくないことを理解されたい。必要とされるものは、プラズマコイル静電集塵器アセンブリ１００が効果的に動作するために、浮遊粒子が不活性化ゾーンの中へ引き付けられることだけである。
【００２７】
絶縁サポート３０２は、静電ワイヤ電極アセンブリ３０１が装着されている表面に電力が提供されないことを確実にする。
【００２８】
ワイヤ電極３０３のワイヤは、適切に細いワイヤリングゲージのものであり、ワイヤ電極３０３の表面積が最小になるようになっている。たとえば、米国ワイヤゲージ規格（ＡＷＧ）値の３８（０．１ｍｍ直径）またはそれより大きいもの（０．１ｍｍ直径＜）が、適切であることが見出されている。任意のゲージのワイヤが、それを通る空気フローをそれが著しくは妨げないという条件で、使用され得ることが当業者によって理解されることとなる。より大容量の静電ワイヤ電極アセンブリ３０１に関して、より大きいゲージワイヤが必要であることとなる。
【００２９】
図４は、図３に示されているものとは反対側から、静電ワイヤ電極アセンブリ３０１を示している。サポート３０２の上にワイヤ電極３０３を形成するためのワイヤのループされた配置は、この図からより良好に理解され得る。ワイヤは、絶縁サポート３０２の両側部の間でループされている。３０３に関するグリッド配置が、互いに平行になっている垂直方向のワイヤセクションによって示されている。しかし、さらなるワイヤセクションが互いに交差するグリッド配置も使用され得る。あるいは、図４のワイヤセグメントが水平方向に配置されているグリッド配置も用いられ得る。当業者によって理解されることとなるように、空気フローを過度に妨げることなく、ワイヤ電極３０３を通過する空気粒子の上に十分な電荷を置く任意の配置が、本教示の静電ワイヤ電極アセンブリ３０１において使用され得る。空気フローの方向は、矢印「Ａ」によって示されている。
【００３０】
ここで、コイルアセンブリ２０１のさらなる詳細および特徴が、図５、図６、および図７を参照して説明される。図５に示されているように、プラズマコイルアセンブリ２０１は、高電圧電力供給部５０１が動作することを必要とする。プラズマコイルアセンブリ２０１は、１Ｗ／ｃｍ2未満のパワー密度で動作し、プラズマ放電を操作可能に発生させるように構成されている。
【００３１】
好適な実施形態では、プラズマ発生器は、概して円筒形状のコイルアセンブリを含み、概して円筒形状のコイルアセンブリは、１Ｗ／ｃｍ2未満のパワー密度で動作し、コイルアセンブリの長手方向軸線の周りに円周方向にプラズマ放電を操作可能に発生させるように構成されている。最も好ましくは、プラズマ発生器は、０．１Ｗ／ｃｍ2から０．５Ｗ／ｃｍ2の範囲にあるパワー密度で動作されるように構成されている。これは、プラズマ発生にとって比較的低いパワー密度であり、プラズマ発生器の周りに不活性化ゾーンを生成させるのに効果的である。電気接点５０２は、図５から図７に示されている実施形態において、絶縁されたスタンド２０４の上に設けられており、電気接点５０２は、プラズマ発生用円筒コイル１０１に高電圧を印加するために使用される。図５から理解され得るように、絶縁されたスタンド２０４は、１組のサポートホルダとしての役割を果たしており、円筒コイル１０１は、絶縁スタンド２０４から取り外し可能である。円筒コイル１０１は、円筒コイル１０１のためのサポートホルダとして機能する絶縁されたスタンド２０４に除去可能に係合可能である。とりわけ、絶縁体キャップ２０３の寸法および絶縁スタンド２０４の寸法が、対応するように構成されており、それぞれの絶縁体キャップ２０３をそのそれぞれの絶縁スタンド２０４の中へ押し込むことによって、絶縁体キャップ２０３が、タイトフィットな係合で絶縁スタンド２０４に係合され得るようになっているので、円筒コイル１０１の絶縁体キャップ２０３は、絶縁スタンド２０４に係合するように適合されている。とりわけ、絶縁体キャップ２０３の幅は、絶縁スタンド２０４の幅と同じであり、絶縁スタンド２０４と絶縁体キャップ２０３との間にタイトフィットを提供するようになっている。そのうえ、絶縁スタンド２０４には、アーチ形のレッジ部２０５が設けられており、絶縁体キャップ２０３が絶縁スタンド２０４の中に挿入されるときに、絶縁体キャップ２０３がアーチ形のレッジ部２０５に当接する。アーチ形のサポートレッジ部２０５は、絶縁スタンド２０４の中へさらに下に押し込まれている絶縁体キャップ２０３に対するストッパーとしての役割を果たし、また、アーチ形のサポートレッジ部２０５は、円筒コイル２０１を適切な位置に支持し、それが、円筒コイル１０１の上方および下方の空気フローを可能にするように最適に位置するようになっている。円筒コイル１０１は、本明細書で提示されている実施形態において、容易に除去および交換され得ることを理解されたい。これは、単に、絶縁体キャップ２０３に接触している状態から誘電体リテーナ２０２を後退させること、および、示されている矢印の方向に、円筒コイル１０１を持ち上げることを必要とする。
【００３２】
本教示のプラズマコイルアセンブリ２０１の主な利点の１つは、円筒コイル１０１が、バッテリーまたは電球を取り換えるように、容易に交換され得ることであることを理解されたい。
【００３３】
また、電力は、電力供給部５０１から電気接点５０２へ提供されることが当業者によって理解されることとなる。接点５０２と電力供給部との間の接続（たとえば、ワイヤリング）の正確な性質は、必要に応じて選ばれ得、また、電力供給部５０１およびコイルアセンブリ２０１が一緒に置かれることは必要ではない。次いで、電力供給部５０１からの電力は、絶縁されたスタンド２０４の上の接点５０２を通して、円筒コイル１０１の電気接点５０３へ渡される。上記に示されているように、プラズマコイルアセンブリ２０１は、１Ｗ／ｃｍ2未満のパワー密度で動作し、プラズマ放電を操作可能に発生させるように構成されている。最も好ましくは、プラズマ発生器は、０．１Ｗ／ｃｍ2から０．５Ｗ／ｃｍ2の範囲にあるパワー密度で動作されるように構成されている。
【００３４】
また、変圧器（図示せず）が、電力供給部と接点５０３との間で使用され、高電圧の交流電流を提供することが可能である。また、電力供給部５０１は、本教示の静電ワイヤ電極アセンブリ３０１に電力を提供するために使用され得る。繰り返しになるが、具体的なワイヤリング構成は、必要に応じて、当業者によって選ばれ得る。
【００３５】
図６は、絶縁スタンド２０４から除去されているときの円筒コイル１０１の斜視図である。円筒コイルは、誘電体絶縁体チューブ（dielectric insulator tube）６０１および外側メッシュ電極６０２を含むことが見られ得る。また、第１の電気接点６０３が設けられており、それは、より詳細に説明されることとなる。
【００３６】
図７は、図６の円筒コイルの斜視図であり、外側メッシュ電極６０２は、それが誘電体絶縁体チューブ６０１に部分的にだけ重なっているようにずらされている。それ加えて、内側電極７０１としての役割を果たす内側メッシュコイルも、見やすくするために、絶縁体チューブ６０１の中から延在するように示されている。操作可能に、内側メッシュコイル７０１は、誘電体絶縁体チューブ６０１の中に完全に囲まれている。また、第１の電気接点６０３は、内側電極７０１に直接的に取り付けられており、電力が、この電極７０１のメッシュコイルに直接的に供給されるようになっていることが理解され得る。別の電気接点７０２は、外側電極６０２に取り付けられている。
【００３７】
内側および外側ワイヤメッシュは、内側電極７０１および外側電極６０２としての役割を果たし、内側および外側ワイヤメッシュは、それらのそれぞれの全表面積の周りにおいて、誘電体チューブ６０１との直接的な接触を維持する。これは、プラズマ発生の間に上昇したレベルのプラズマが作り出される空気ポケットが円筒コイルの周りにまったく存在しないことを確実にする。
【００３８】
プラズマ放電は、電極の対、すなわち、内側電極７０１および外側電極６０２に電力を印加することによって、コイル１０１において発生される。印加された電力は、電極対の表面の間に、電極対の表面の周りに、および／または、電極対の表面の上に、ＤＣ放電またはＡＣ放電のいずれかを維持する。
【００３９】
本教示におけるプラズマ発生は、誘電体ガラスチューブ６０１によって絶縁された内側ワイヤメッシュシリンダ７０１を備える誘電体バリア放電（ＤＢＤ）タイプのものである。コイル１０１の円筒形状の形状は、外側メッシュ６０２が円筒コイルの周りに円周方向に完全に延在すること、および、プラズマが円筒コイルからすべての方向に均一に放電されることを確実にする。
【００４０】
誘電体バリア放電（ＤＢＤ）は、絶縁誘電体バリアによって分離されている２つの電極の間の電気的な放電である。公知のＤＢＤデバイスは、典型的に平面的であり、誘電体または円筒形状によって分離されている平行なプレートを使用し、それらの間に誘電体チューブを備える同軸のプレートを使用している。１つの同軸の構成では、誘電体は、共通の蛍光管と同じ形態で形状決めされている。それは、希ガスまたは希ガスハロゲン化物ミックスのいずれかによって、大気圧力で充填され、ガラス壁部が、誘電体バリアとしての役割を果たす。大気圧力レベルに起因して、そのようなプロセスは、維持するために高いエネルギーレベルを必要とする。共通の誘電材料は、ガラス、石英、セラミック、およびポリマーを含む。
【００４１】
図８および図９は、全体的に参照番号８０１によって示されているプラズマ発生器円筒コイルの代替的実施形態を示している。同様の数字は、図５から図７と図８から図９との間で、同様の特徴を示している。図５から図７を参照して上記に説明されているものと同様に、円筒コイル８０１は、円筒コイル８０１のためのサポートホルダとして機能する絶縁されたスタンド８１４に除去可能に係合可能である。とりわけ、絶縁体キャップ８１３の寸法および絶縁スタンド８１４の寸法が、対応するように構成されており、それぞれの絶縁体キャップ８１３をそのそれぞれの絶縁スタンド８１４の中へ押し込むことによって、絶縁体キャップ８１３が、タイトフィットな係合で絶縁スタンド４に係合され得るようになっているので、円筒コイル８０１の絶縁体キャップ８１３は、絶縁スタンド８１４に係合するように適合されている。とりわけ、絶縁体キャップ８１３の幅は、絶縁スタンド８１４の幅と同じであり、絶縁スタンド８１４と絶縁体キャップ８１３との間にタイトフィットを提供するようになっている。そのうえ、絶縁スタンド８１４には、アーチ形のレッジ部８１５が設けられており、絶縁体キャップ８１３が絶縁スタンド８１４の中に挿入されるときに、絶縁体キャップ２０３がアーチ形のレッジ部８１５に当接する。この実施形態では、それぞれのアーチ形のサポートレッジ部８１５がスロット８１６を含むことが留意されることとなる。アーチ形のサポートレッジ部２１５は、絶縁スタンド８１４の中へさらに下に押し込まれている絶縁体キャップ８１３に対するストッパーとしての役割を果たし、また、アーチ形のサポートレッジ部２１５は、円筒コイル８０１を適切な位置に支持し、それが、円筒コイル８０１の上方および下方の空気フローを可能にするように最適に位置するようになっている。円筒コイル８０１は、本明細書で提示されている実施形態において、容易に除去および交換され得ることを理解されたい。これは、単に、絶縁体キャップ８１３に接触している状態から誘電体リテーナ８０２を後退させること、および、示されている矢印の方向に、円筒コイル８０１を持ち上げることを必要とする。
【００４２】
図８および図９に示されている円筒コイル８０１の代替的実施形態は、円筒コイル８０１に関する電気接点８０３、８０３’の代替的な配置、とりわけ、プラズマ発生用円筒コイル８０１の内側メッシュ８２０および外側メッシュ８２２への電力供給のための電気接点の配置を含む。［単に簡単にするために、内側メッシュ８２０および外側メッシュ８２２は、シリンダとして図８および図９に示されていることに留意されたい。しかし、図８および図９の内側メッシュ８２０および外側メッシュ８２２は、図５から図７に示されている参照番号７０１、６０２によってそれぞれ示されているものと同じメッシュ構造を含むことを理解されたい。］プラズマコイル静電集塵器アセンブリ１００の動作は、図５から図７に示されている円筒コイル１０１、または、図８および図９に示されている円筒コイル８０１のいずれかを含むときに同じである。図８は、絶縁スタンド８１４から除去されているときの円筒コイル８０１の斜視図である。円筒コイル８０１は、円筒コイル１０１のときと同様に、誘電体絶縁体チューブおよび外側メッシュ電極を含む。また、この実施形態では、より詳細に下記に説明されることとなるように、電気接点８０３、８０３’が設けられている。
【００４３】
ここで図９を参照すると、図８の円筒コイル８０１の斜視図が示されており、外側メッシュ電極８２２は、それが誘電体絶縁体チューブ８２１に部分的にだけ重なっているようにずらされている。コイルアセンブリ８０１は、内側電極８２０として機能するための内側メッシュコイル８２０を含む。操作可能に、内側メッシュコイル８２０は、誘電体絶縁体チューブ８２１の中に完全に囲まれている。また、第１の電気接点８０３は、外側電極８２２に直接的に取り付けられており、電力が、この電極８２２のメッシュコイルに直接的に供給されるようになっていることが図９から見られ得る。別の電気接点８０３’が、内側電極８２０に取り付けられている。それぞれの電気接点８０３、８０３’は、第１のリム部８０４、８０４’および第２のリム部８０５、８０５’を含む。このように、それぞれの電気接点８０３、８０３’は、概して、２つのリム部８０４、８０４’；８０５、８０５’からそれぞれ構成されるＬ字形状の部材の形態になっている。図９において見ることができるように、第１のリム部８０４’は、内側電極８２０に直接的に接触しており、第２のリム部８０５’は、使用時に、絶縁スタンド８１４のアーチ形のサポートレッジ部８１５の上に設けられたスロット８１６を通して挿入され、第２のリム部８０５’が、アーチ形のサポートレッジ部８１５の下から下向きに延在するようになっており、また、電源への接続に関して、絶縁スタンド８１４の下側セクションの中で利用可能であるようになっている。また、図９に示されているように、電気接点８０３は、電気接点８０３の第１のリム部８０４が外側電極８２２に直接的に接触している状態で、外側電極８２２に取り付けられており、第２のリム部８０５は、使用時に、絶縁スタンド８１４のスロット８１６を通して挿入されており、第２のリム部８０５は、電源への接続に関して、絶縁スタンド８１４のオープンセクションの中で利用可能である。
【００４４】
内側ワイヤメッシュ８２０および外側ワイヤメッシュ８２２は、内側電極８２０および外側電極８２２としての役割を果たし、内側ワイヤメッシュ８２０および外側ワイヤメッシュ８２２は、それらのそれぞれの全表面積の周りにおいて、誘電体チューブ８２１との直接的な接触を維持する。これは、プラズマ発生の間に上昇したレベルのプラズマが作り出される空気ポケットが円筒コイルの周りにまったく存在しないことを確実にする。
【００４５】
本教示におけるプラズマ発生は、誘電体ガラスチューブ６０１、８２１によって絶縁された内側ワイヤメッシュ円筒電極７０１、８２０を備える誘電体バリア放電（ＤＢＤ）タイプのものである。コイル１０１、８０１の円筒形状の形状は、外側メッシュ６０２、８２２が円筒コイルプラズマ発生器１０１、８０１の周りに円周方向に完全に延在すること、および、プラズマが円筒コイル１０１、８０１からすべての方向に均一に放電されることを確実にする。
【００４６】
プラズマ放電は、電極の対、すなわち、内側電極８２０および外側電極８２２に電力を印加することによって、コイル８０１において発生される。印加された電力は、内側電極８２０および外側電極８２２から構成される電極対の表面の間に、電極対の表面の周りに、および／または、電極対の表面の上に、ＤＣ放電またはＡＣ放電のいずれかを維持する。図１６に示されている配置は、円筒コイル８０１に関する配置、また、円筒コイル１０１に関する配置の単なる１つの実施形態を示しており、それは、内側電極８２０および外側電極８２２へのＡＣ電圧供給部であるとして示されていることを理解されたい。また、図１６に示されているように、この特定の実施形態では、たとえば、１，０００Ｖから１０，０００Ｖ（１ｋＶから１０ｋＶ）の間の範囲にあるＤＣ電圧、好ましくは、２，０００ボルトから９，０００ボルトの間の範囲にあるＤＣ電圧、より好ましくは、３，０００ボルトから８，０００ボルトの間の範囲にあるＤＣ電圧、最も好ましくは、４，０００ボルトから７，０００ボルトの間の範囲にあるＤＣ電圧、また、理想的には、約５，０００ボルトの電圧になっているＤＣ電圧などが、ワイヤ電極、円筒電極、またはニードル電極アレイなどのような、静電集塵器と、円筒コイルプラズマ発生器１０１、８０１の外側メッシュとの間に印加される。
【００４７】
誘電体バリア放電を実現するために必要とされる電圧パラメータおよび電流パラメータは、使用される誘電体の性質に主に依存することとなることを理解されたい。一般的に、１ｋＶを下回る動作電圧は実用的ではなく、好ましくは、１ｋＶから６ｋＶの範囲にある動作電圧が、内側メッシュ電極と外側メッシュ電極との間に提供され、最も望ましくは、３ｋＶから５ｋＶの電圧が、内側メッシュ電極と外側メッシュ電極との間に提供される（たとえば、約４ｋＶの電圧）。誘電体バリア放電を維持するために必要とされる電流は、それを開始させるために必要とされるものよりも著しく小さいことを理解されたい。プラズマ発生器ユニットの電流（ひいては、パワー）は、通常、起動電流の観点から表現される。１ｍＡから１０ｍＡの範囲にある（起動）電流、好ましくは、少なくとも３ｍＡの（起動）電流が使用されるべきである。プラズマ発生器のパワーは、当然のことながら、電圧および電流の組み合わせに依存することとなる。パワーは、一般的に、５０ワット以下であるべきであり、また、好ましくは、少なくとも４ワットである。典型的に、パワーは、１０ワットから４０ワットの範囲にある。これらのパワーレベルは、とりわけ、プラズマ発生器が０．０２ｍ3から１．０ｍ3程度のコンジット容積（conduit volume）を有する装置ユニットの一部として使用される場合に都合が良いことが見出された。
【００４８】
プラズマコイル静電集塵器アセンブリ１００の個々のコンポーネントのそれぞれを説明してきたが、アセンブリ１００の動作、すなわち、これらのコンポーネントの相互作用、および、プラズマコイルアセンブリ２０１と静電集塵器３０１との間の協働が、ここで説明されることとなる。
【００４９】
図１０を見てみると、プラズマコイル静電集塵器アセンブリ１００の側面図が示されている。コイルアセンブリ２０１が静電ワイヤ電極アセンブリ３０１に隣接して位置決めされていることが見られ得る。
【００５０】
高いＤＣ電圧バイアスが、電極アセンブリ３０１の静電ワイヤ電極３０３とコイルアセンブリ２０１の外側ワイヤメッシュ電極６０２との間に印加される。変圧器を伴う上述の高電圧電力供給部５０１が、電圧を印加するために使用され得る。印加される電圧の極性は、ワイヤ電極３０３がコイル１０１の外側ワイヤメッシュ電極６０２に対してマイナスにバイアスされるようになっている。
【００５１】
電極３０３と電極６０２との間の静電デバイスの正しい動作を可能にするために、ワイヤ電極３０３の表面積は、外側ワイヤメッシュ電極６０２のものよりも著しく小さくなっていることを理解されたい。当業者に知られているように、マイナスにバイアスされるワイヤ電極３０３は、尖っているべきであり、すなわち、それは、その周りの電界を強化するために、および、電子の放出を促進させるために、小さい面積を有しているべきである。他方では、コイル１０１に関して、その機能は、電荷を帯びた粒子を収集することであり（電子放出ではない）、したがって、表面積は、ワイヤ電極３０３のものほど小さくなっている必要はなく、そこでは、強化された電界は必要とされない。
【００５２】
そのうえ、ワイヤ電極３０３と外側ワイヤメッシュ電極６１３との間の距離は、電極間の静電デバイスの正しい動作を可能にするように選ばれている。距離は、電極間に印加される所与の高電圧バイアスに関して最適化されるべきである。これらが近すぎる場合には、多過ぎる電子を解放するアーク放電がそれらの間に存在することとなり、電極に対する損傷を引き起こし、多過ぎる抗病原体を発生させることとなる。他方では、それらが、互いに遠く離れ過ぎている場合には、ワイヤ電極の上の電界は、十分に高くはなく、低い電子放出、および、不十分な粒子帯電性能をもたらす可能性がある。
【００５３】
汚染物質および病原菌を運搬する、空気フロー９０１の中の浮遊粒子は、ワイヤ電極３０３によって静電的に帯電される。具体的には、浮遊粒子は、外側ワイヤメッシュ電極６０２に対してマイナスにバイアスされているワイヤ電極３０３によって放出された電子を収集する。次いで、電荷を帯びた浮遊粒子は、外側ワイヤメッシュ電極６０２に引き付けられ、外側ワイヤメッシュ電極６０２によって収集され、空気フロー９０１からそれらを効果的に除去する。外側ワイヤメッシュアセンブリ６０２に向かう空気フロー９０１の中の浮遊粒子および汚染物質のフローが、図１０の中で矢印９０２によって示されている。
【００５４】
コイル１０１によるプラズマの発生は、コイル１０１の周りに不活性化ゾーンを生成させる。不活性化ゾーンは、プラズマが解放されるゾーンであり、病原菌を含む浮遊汚染材料を不活性化させるのに効果的であり、浮遊汚染材料は、電極６０２の上に収集され、空気フロー９０１の中に同伴されている。そのような浮遊汚染材料（浮遊汚染物質）は、健康を脅かす可能性があり、それは、３つのグループへと細分化され得、その３つのグループは、すなわち、（ａ）空気を介して環境全体に広がる病気を引き起こす任意の微生物を含む浮遊病原、（ｂ）摂取、吸入、または接触されるときに、アレルギー反応を引き起こす任意の物質を含む浮遊アレルゲン、および、（ｃ）空気中に浮いたままの微粒子の形態で高圧でスプレイされるように設計されている任意の製品を含む浮遊揮発性有機化合物（ＶＯＣ）である。コイル１０１によって発生されるプラズマは、（ａ）から（ｃ）の細区分に定義されているような浮遊汚染材料のいずれかを不活性化させるのに効果的である。
【００５５】
また、サポートホルダとしての役割を果たす絶縁スタンド２０４が、コイルアセンブリ２０１が取り付けられ得る任意の表面の上方に円筒コイル１０１を浮上または上昇させることが図１０から見られ得る。そのような浮上させられたコイル１０１の構成は、空気フロー９０１によって示されているように、コイル１０１の上方および下方の空気循環を可能にする。具体的には、電極アセンブリを浮上させることによって、不活性化ゾーンが、円筒コイルの周りに円周方向に延在し、空気は、同じレベルのプラズマを受けながら、円筒コイル１０１の上方および下方の両方を通過することが可能である。コイルへの空気暴露を確実にする、コイル１０１の向きに対して垂直な方向への空気フローが最大化される。
【００５６】
図１１は、本発明のプラズマコイル静電集塵器アセンブリ１００の動作における主要ステップを詳述している。ファンなどのようなインペラが、空気処理デバイス、または、プラズマコイル静電集塵器アセンブリ１００を収容するダクティングを通して空気フローを強制的に送る（ステップ９０１）。発生された空気フローは、静電電極ワイヤアセンブリ３０１を通して空気ならびに浮遊粒子および汚染物質を強制的に送る（ステップ９０２）。浮遊粒子および汚染物質は、ワイヤ電極３０３の付近に持っていかれ、ワイヤ電極３０３は、電子を放出し、粒子および汚染物質をマイナスの電荷で帯電させる（ステップ９０３）。空気フローは、電荷を帯びた粒子および汚染物質をコイル１０１の付近に向けて強制的に送る（ステップ９０４）。コイル１０１の外側電極６０２は、プラスの電荷を有しており、したがって、マイナスに帯電された浮遊粒子および汚染物質は、外側ワイヤメッシュ電極６０２に引き付けられ、外側ワイヤメッシュ電極６０２によって収集される（ステップ９０５）。最後に、収集された浮遊粒子および汚染物質の中に存在している病原菌は、長期間にわたってプラズマ放電に曝され、連続的な分解をもたらし、完全な不活性化を確実にする（ステップ９０６）。それに加えて、浮遊しているままであり、すなわち、コイル１０１によって収集されておらず、上述の不活性化ゾーンの中にある、任意の粒子または病原菌が、コイル１０１からのプラズマ放電によって不活性化される。
【００５７】
コイルアセンブリ２０１によって生成される上述の不活性化ゾーンの中のプラズマ濃度は、空気フローの中におよび収集された粒子の中に同伴されている浮遊汚染材料を効果的に不活性化させるのに十分であるが、プラズマの濃度を十分に低く維持することが望ましく、不活性化ゾーンの中のプラズマ放電によって生成される任意の抗病原体の濃度が、空気処理装置によって吐出される清浄空気の中で、生理学的に許容可能なレベルにあるようになっていることを理解されたい。本教示の静電集塵特徴は、プラズマ発生器の周りのプラズマ放電ゾーンによって生成される不活性化ゾーンの中へ、浮遊粒子および汚染物質を引き付けるように設計されており、また、プラズマコイル静電集塵器アセンブリ１００をその中に有する空気処理デバイスからの抗病原性副産物の出力の低減を可能にする。この低減は、高い不活性化の有効性を保ちながら、コイル１０１にプラズマ放電を維持するパワーの供給を安全に低減させることによって実現される。プラズマ発生器の周りのプラズマ放電ゾーンによって生成される不活性化ゾーンの中へ浮遊粒子および汚染物質を引き付けることは、コイル１０１の上に沈着および収集するそれらの浮遊粒子および汚染物質のいくらか（しかし、必ずしもまたは望ましくは、すべてではない）をもたらしながら、すべての浮遊粒子および汚染物質を不活性化されることを理解されたい。
【００５８】
また、本発明のプラズマコイル静電集塵器アセンブリ１００は、ダクティングシステムまたはコンジット（conduit）の中で用いられ得る。そのような構成では、空気は、ダクティングシステムを通して、コイル１０１からのプラズマ放電の周りに方向付けされ、または強制的に送られる。ダクティングシステムは、プラズマ放電の周りのすべての空気フローが放電の１センチメートル以内にあることを確実にするように設計されている。ダクティングは、外側ワイヤメッシュ電極６０２による粒子および汚染物質の収集を改善することが理解される。そのうえ、ダクティングは、静電的に帯電された電極をその内部表面の上に含むことが可能であり（マイナスに帯電されている）、マイナスに帯電された浮遊粒子および汚染物質を反発し、外側ワイヤメッシュ電極６０２による収集を改善する。具体的には、電極アセンブリ３０１によってマイナスに帯電された粒子は、ダクティングの（マイナスに帯電された）内部表面によって反発され、プラスに帯電されたメッシュ電極６０２に引き付けられる。
【００５９】
図１２は、本発明のプラズマコイル静電集塵器アセンブリの別の実施形態を示している。図１２の構成では、プラズマコイル静電集塵器アセンブリ１０００は、以前の実施形態と同じコイルアセンブリ２０１を使用している。しかし、電極アセンブリ１００１は異なっている。とりわけ、以前の実施形態の垂直方向のワイヤ電極３０３は、絶縁サポート１００３によって適切な場所に保持される同心円状のワイヤ電極１００２によって交換される。
【００６０】
以前の実施形態のときと同様に、同心円状のワイヤ電極１００２は、外側ワイヤメッシュ電極６０２に対してマイナスに帯電されており、空気フローは、同心円状のワイヤ電極１００２を通して強制的に送られる。空気の中の粒子は、ワイヤ電極１００２によってマイナスに帯電されており、プラスに帯電されたメッシュ電極６０２に引き付けられる。その後に、粒子は、メッシュ電極６０２の上に収集し、コイルアセンブリ２０１によって発生されたプラズマに曝される。
【００６１】
電極アセンブリ１００１の構成の利点は、外側ワイヤメッシュ電極６０１に対して同心円状のワイヤ電極１００２を有することによって、両方の電極の間の距離が一定になっており、プラズマコイル静電集塵器アセンブリの最適化された性能をもたらすことを理解されたい。
【００６２】
図１３は、本発明のプラズマコイル静電集塵器アセンブリの好適な実施形態を示している。この実施形態では、垂直方向のワイヤ電極３０３は、直線状ニードル電極１１０１によって交換され、直線状ニードル電極１１０１は、絶縁サポート１１０２によって適切な場所に保持されている。絶縁スタンド８１４は、コイルアセンブリ８０１が取り付けられ得る任意の表面の上方に円筒コイル８０１を浮上または上昇させるように機能していることが図１３から見られ得る。そのような浮上させられたコイル８０１の構成は、図１０に示されているものと同じように、空気がコイル８０１の上方および下方を流れることを可能にする。具体的には、内側電極８２０および外側電極８２２を含む電極アセンブリを浮上させることによって、不活性化ゾーンは、円筒コイル８０１の周りに完全に延在しており、空気は、同じレベルのプラズマを受けながら、円筒コイル８０１の上方および下方の両方を通過することが可能である。空気は、コイル８０１の向きに対して垂直な方向に流れ、したがって、空気が直線状ニードル電極アレイ１１０１を通過した後のその空気フローの中の電荷を帯びた浮遊汚染材料が、不活性化ゾーンの中へ引き付けられることを確実にする。不活性化ゾーンは、約１ｃｍから２ｃｍだけ、プラズマ発生器から外向きに延在している。プラズマ発生器が円筒コイルアセンブリを含む、示されている実施形態では、不活性化ゾーンは、約１ｃｍから２ｃｍだけ円筒コイルから外向きに、円筒コイルの周りに円周方向に延在している。
【００６３】
直線状ニードル電極アレイ１１０１は、鋭い先端部１１０６を有する複数のニードル電極１１０５を含む。直線状ニードル電極アレイ１１０１は、単一の直線状アレイ（linear array）のニードル電極として考えられ得、また、１つのラインだけの電極が図１１に示されているが、代替的実施形態では、複数の列のニードル電極１１０５が、たとえば、互いに対して平行に、ニードル電極の上に設けられ得る。たとえば、複数の平行な直線状ニードル電極アレイが、電極の上に設けられ得る。また、ニードル電極アレイの他の配置も提供され得る。
【００６４】
図１４および図１５に示されているように、電極１１０１は、静電集塵器８０１（または、静電集塵器１０１）から所定の距離に位置する。ワイヤ電極、もしくは、ニードル電極の先端部であろうと、または、他の形態の電極であろうと、所定の距離は、電極から外側メッシュ電極６０２の外側表面の上の最も近い点までの距離として測定される。たとえば、図１４に示されているように、それぞれのニードル電極１１０５のそれぞれのニードル先端部１１０６から外側メッシュ電極８２２の外側表面までの距離は、文字ａによって示されている。この所定の距離「ａ」は、ニードル電極１１０１と静電集塵器８０１（または１０１）との間のアーク放電を防止するように構成されているが、それと同時に、ニードル電極静電集塵器とプラズマ発生器との間の協働を可能にし、ニードル電極静電集塵器によって帯電された電荷を帯びた浮遊粒子が、プラズマ発生器の周りの不活性化ゾーンの中へ引き付けられるようになっている。この所定の距離は、０．５ｃｍから２ｃｍの範囲にあり、好ましくは、その距離は、約１ｃｍである。
【００６５】
以前に説明された実施形態のときと同様に、高いＤＣ電圧バイアスが、ニードル電極アレイ１１０１のニードル１１０５とコイルアセンブリ８０１の外側ワイヤメッシュ電極８２２との間に印加される。変圧器を伴う上述の高電圧電力供給部５０１が、電圧を印加するために使用され得る。印加される電圧の極性は、ニードル電極アレイ１１０１がプラズマ発生用コイルアセンブリ８０１の外側ワイヤメッシュ電極８２２に対してマイナスにバイアスされるようになっている。ニードル電極アレイ１１０１からの空気フローの中のマイナスに帯電された浮遊粒子が、コイルアセンブリ８０１の外側ワイヤメッシュ電極８２２に向けて引き付けられることを確実にするように、電圧が設定される。病原菌を含む電荷を帯びた浮遊汚染材料を含む電荷を帯びた浮遊粒子を、不活性化ゾーンの中へ引き付けるようなレベルに、電圧が設定され、浮遊汚染材料が不活性にかつ無害にされるようになっている。不活性化ゾーンは、約１ｃｍから２ｃｍだけ円筒コイルから外向きに、円筒コイルの周りに円周方向に延在している。ニードル電極アレイ１１０１とコイルアセンブリ８０１の外側ワイヤメッシュ電極８２２との間の電圧は、１，０００ボルトから１０，０００ボルトの間の範囲にあり、好ましくは、２，０００から９，０００の間の範囲にあり、より好ましくは、３，０００ボルトから８，０００ボルトの間の範囲にあり、最も好ましくは、４，０００ボルトから７，０００ボルトの間の範囲にあり、理想的には、約５，０００ボルトである。
【００６６】
したがって、ニードル電極アレイ１１０１は、外側ワイヤメッシュ電極６０２に対してマイナスに帯電されている。空気フローは、ニードル電極１１０１を通過して静電集塵器８０１に向けて強制的に送られる。ニードル電極アレイ１１０１の利点は、ニードル電極１１０５の鋭い先端部１１０６が、ニードル電極アレイ１１０１のニードル電極１１０５によるより高い電子放出をもたらし、最適化された静電集塵性能をもたらすことであることを理解されたい。また、利点は、静電集塵器電極１１０１とコイル１０１との間のＤＣ高電圧差を低減させるために使用され得、それは、不活性化の有効性を維持しながら、プラズマ放電による抗病原性副産物のより低い放出に貢献する。
【００６７】
本教示は、浮遊病原菌をプラズマ放電の付近に引き付けるための、ならびに、デバイスによって発生されたプラズマ放電および抗病原性副産物に、それらが可能な限り長く曝されることを維持するための、空気処理デバイスを提供することを理解されたい。そのうえ、デバイスは、電極アセンブリの表面の上に浮遊病原菌を捕獲し、その上に、プラズマ放電が発生され、不活性化有効性を最適化する。
【００６８】
また、別々の実施形態を参照したプラズマコイル静電集塵器アセンブリの上記の説明は、１つの実施形態を参照して説明されている特徴またはコンポーネントが、第２の実施形態を参照して説明されているものに関して使用または置き換えられることができないという限定を伝えることを意図していないことを理解されたい。含む（ｃｏｍｐｒｉｓｅｓ／ｃｏｍｐｒｉｓｉｎｇ）という語句は、本明細書において使用されるときに、述べられている特徴、整数、ステップ、またはコンポーネントの存在を特定するものであるが、１または複数の他の特徴、整数、ステップ、コンポーネント、または、それらのグループの存在または付加を除外するものではない。
【図１】
2020122649.tif 000003
【図２】
2020122649.tif 000004
【図３】
2020122649.tif 000005
【図４】
2020122649.tif 000006
【図５】
2020122649.tif 000007
【図６】
2020122649.tif 000008
【図７】
2020122649.tif 000009
【図８】
2020122649.tif 000010
【図９】
2020122649.tif 000011
【図１０】
2020122649.tif 000012
【図１１】
2020122649.tif 000013
【図１２】
2020122649.tif 000014
【図１３】
2020122649.tif 000015
【図１４】
2020122649.tif 000016
【図１５】
2020122649.tif 000017
【図１６】
2020122649.tif 000018